(57)【要約】【課題】偏芯調整と傾倒調整とを行うことを可能としつつ配置スペースの低減を図ることのできるレンズ鏡胴を提供する。【解決手段】少なくとも１枚以上のレンズからなるレンズ群１５を保持するレンズ保持枠２５と、レンズ保持枠を内側で支持する支持枠２６と、を備えるレンズ鏡胴１０である。  支持枠には、レンズ群のレンズ光軸を取り巻きつつレンズ光軸へ向けて延在するように、少なくとも３つの調芯用貫通孔２６ｂが設けられ、各調芯用貫通孔２６ｂには、支持枠２６に対するレンズ保持枠２５のレンズ光軸（ＯＡ）に直交する方向での支持点を変位可能とする偏芯調整部材（６２、６３、６４）と、支持枠２６に対するレンズ保持枠２５のレンズ光軸方向での支持点を変位可能とする傾倒調整部材６１と、が同軸上で組み込まれている。【選択図】図３
2012141519.tif 000002
【特許請求の範囲】
【請求項１】
少なくとも１枚以上のレンズからなるレンズ群を保持するレンズ保持枠と、該レンズ保持枠を内側で支持する支持枠と、を備えるレンズ鏡胴であって、
前記支持枠には、前記レンズ群のレンズ光軸を取り巻きつつ該レンズ光軸へ向けて延在するように、少なくとも３つの調芯用貫通孔が設けられ、
該各調芯用貫通孔には、前記支持枠に対する前記レンズ保持枠の前記レンズ光軸に直交する方向での支持点を変位可能とする偏芯調整部材と、前記支持枠に対する前記レンズ保持枠の前記レンズ光軸方向での支持点を変位可能とする傾倒調整部材と、が同軸上で組み込まれていることを特徴とするレンズ鏡胴。
【請求項２】
前記各偏芯調整部材は、少なくとも２つが前記調芯用貫通孔内において該調芯用貫通孔の孔軸線回りの回転に伴って前記支持点を前記孔軸線方向に変位させるべく該孔軸線方向に進退可能とされ、かつ少なくとも１つが前記調芯用貫通孔内において前記レンズ保持枠を前記孔軸線方向内側に付勢可能とされていることを特徴とする請求項１に記載のレンズ鏡胴。
【請求項３】
前記各偏芯調整部材は、前記各調芯用貫通孔内において、該調芯用貫通孔の孔軸線周りの回転に伴って前記支持点を前記孔軸線方向に変位させるべく該孔軸線方向に進退可能とされていることを特徴とする請求項１に記載のレンズ鏡胴。
【請求項４】
前記傾倒調整部材には、前記各調芯用貫通孔内において、該調芯用貫通孔の孔軸線方向に延在するとともに該孔軸線とは偏芯された偏芯軸部が設けられており、
前記傾倒調整部材は、前記各調芯用貫通孔内において、前記孔軸線周りの回転が可能とされるとともに、前記偏芯軸部を前記レンズ光軸方向で前記レンズ保持枠と当接可能とされていることを特徴とする請求項１から請求項３のいずれか１項に記載のレンズ鏡胴。
【請求項５】
前記支持枠には、前記レンズ保持枠を前記レンズ光軸方向の前記各偏芯軸部側に付勢する光軸方向付勢部材が設けられていることを特徴とする請求項４に記載のレンズ鏡胴。
【請求項６】
前記各偏芯調整部材は、前記調芯用貫通孔に嵌合可能な筒形状を呈し、
前記各傾倒調整部材は、前記各偏芯調整部材の中空箇所に嵌合可能とされていることを特徴とする請求項１から請求項５のいずれか１項に記載のレンズ鏡胴。
【請求項７】
請求項１から請求項６のいずれか１項に記載のレンズ鏡胴であって、
前記レンズ群を第１のレンズ群とし、前記レンズ保持枠を第１のレンズ保持枠として、
さらに、少なくとも１つ以上のレンズからなる第２のレンズ群と、該第２のレンズ群を保持する第２のレンズ保持枠と、前記支持枠および前記第２のレンズ保持枠を内部で移動可能に保持するレンズ鏡筒と、を備えることを特徴とするレンズ鏡胴。
【請求項８】
請求項１から請求項７のいずれか１項に記載のレンズ鏡胴を用いることを特徴とする撮像装置。
【請求項９】
請求項１から請求項７のいずれか１項に記載のレンズ鏡胴を用いることを特徴とするデジタルカメラ。
【請求項１０】
請求項１から請求項７のいずれか１項に記載のレンズ鏡胴を用いることを特徴とする携帯型情報端末装置。
【請求項１１】
請求項１から請求項７のいずれか１項に記載のレンズ鏡胴を用いることを特徴とする画像入力装置。
【発明の詳細な説明】
【技術分野】
【０００１】
本発明は、レンズ群を保持するレンズ鏡胴に関し、特に、レンズ群の調芯を容易なものとするレンズ鏡胴に関する。
【背景技術】
【０００２】
近年、デジタルカメラ等の撮影装置では、小型化が求められるとともに撮影画像の高画質化が求められている。ここで、高画質化への要求を満たすためには、レンズ鏡胴内において、光学系の撮影光軸に直交する方向で見たレンズ群の位置を、光学系としての設定に応じた所定の位置とすること（偏芯調整）と、光学系の撮影光軸に対するレンズ群の傾斜を、光学系としての設定に応じた所定の傾斜とすること（傾倒（倒れ）調整）と、のいわゆるレンズ群の調芯を高精度に行う必要がある。このため、複数のレンズ群からなる光学系の１つのレンズ群をレンズ保持枠で保持し、このレンズ保持枠の撮影光軸に対する位置調整により当該レンズ群の調芯を可能とするレンズ調芯機構を備えるレンズ鏡胴が既に知られている（特許文献１参照）。
【０００３】
このレンズ鏡胴では、像面側の第３群レンズ群を保持する３群保持枠の延出部に固定された５群保持板に、第５群レンズを保持する５群保持枠が第１調整部材と第２調整部材とを介して保持されてレンズ調芯機構が構成されている。この第１調整部材は、５群保持枠を取り巻くように３箇所に設けられており、それぞれの撮影光軸に直交する方向での位置を変位することにより、撮影光軸に直交する方向での５群保持板に対する５群保持枠の位置の調整を可能とする。また、第２調整部材は、３つの第１調整部材とは別個に５群保持枠を取り巻くように３箇所に設けられており、それぞれの撮影光軸方向での位置を変位することにより、５群保持板に対する５群保持枠の傾斜の調整を可能とする。このため、このレンズ鏡胴では、３つの第１調整部材により第５群レンズの偏芯調整を行うことができ、３つの第２調整部材により第５群レンズの倒れ調整を行うことができる。
【発明の概要】
【発明が解決しようとする課題】
【０００４】
しかしながら、上記した従来のレンズ鏡胴の構成では、撮影光軸に直交する方向でのレンズ群（５群保持枠）の位置を調整する（偏芯調整）場合、撮影光軸に直交する方向への相対的な変位を可能する支持点を少なくとも３点設ける必要があることから、少なくとも３つの第１調整部材を設ける必要がある。また、レンズ群の傾斜を調整する（傾倒調整）場合、撮影光軸方向への相対的な変位を可能する支持点を少なくとも３点設ける必要があることから、少なくとも３つの第２調整部材を設ける必要がある。このため、従来のレンズ鏡胴では、レンズ調芯機構として、合わせて少なくとも６つの第１調整部材と第２調整部材とを設ける必要があることから、５群保持板と５群保持枠との保持構成において６箇所に配置スペースを設ける必要がある。このことは、スペース効率の低下を招き、小型化の妨げとなったり、構成の複雑化を招くこととなったりするとともに、そもそも配置スペースを６箇所に設けることが困難であったりすることから、改良の余地がある。
【０００５】
本発明は、上記の事情に鑑みて為されたもので、偏芯調整と傾倒調整とを行うことを可能としつつ配置スペースの低減を図ることのできるレンズ鏡胴を提供することを目的とする。
【課題を解決するための手段】
【０００６】
請求項１に記載のレンズ鏡胴は、少なくとも１枚以上のレンズからなるレンズ群を保持するレンズ保持枠と、該レンズ保持枠を内側で支持する支持枠と、を備えるレンズ鏡胴であって、前記支持枠には、前記レンズ群のレンズ光軸を取り巻きつつ該レンズ光軸へ向けて延在するように、少なくとも３つの調芯用貫通孔が設けられ、該各調芯用貫通孔には、前記支持枠に対する前記レンズ保持枠の前記レンズ光軸に直交する方向での支持点を変位可能とする偏芯調整部材と、前記支持枠に対する前記レンズ保持枠の前記レンズ光軸方向での支持点を変位可能とする傾倒調整部材と、が同軸上で組み込まれていることを特徴とする。
【０００７】
請求項２に記載のレンズ鏡胴は、請求項１に記載のレンズ鏡胴であって、前記各偏芯調整部材は、少なくとも２つが前記調芯用貫通孔内において該調芯用貫通孔の孔軸線回りの回転に伴って前記支持点を前記孔軸線方向に変位させるべく該孔軸線方向に進退可能とされ、かつ少なくとも１つが前記調芯用貫通孔内において前記レンズ保持枠を前記孔軸線方向内側に付勢可能とされていることを特徴とする。
【０００８】
請求項３に記載のレンズ鏡胴は、請求項１に記載のレンズ鏡胴であって、前記各偏芯調整部材は、前記各調芯用貫通孔内において、該調芯用貫通孔の孔軸線周りの回転に伴って前記支持点を前記孔軸線方向に変位させるべく該孔軸線方向に進退可能とされていることを特徴とする。
【０００９】
請求項４に記載のレンズ鏡胴は、請求項１から請求項３のいずれか１項に記載のレンズ鏡胴であって、前記傾倒調整部材には、前記各調芯用貫通孔内において、該調芯用貫通孔の孔軸線方向に延在するとともに該孔軸線とは偏芯された偏芯軸部が設けられており、前記傾倒調整部材は、前記各調芯用貫通孔内において、前記孔軸線周りの回転が可能とされるとともに、前記偏芯軸部を前記レンズ光軸方向で前記レンズ保持枠と当接可能とされていることを特徴とする。
【００１０】
請求項５に記載のレンズ鏡胴は、請求項４に記載のレンズ鏡胴であって、前記支持枠には、前記レンズ保持枠を前記レンズ光軸方向の前記各偏芯軸部側に付勢する光軸方向付勢部材が設けられていることを特徴とする。
【００１１】
請求項６に記載のレンズ鏡胴は、請求項１から請求項５のいずれか１項に記載のレンズ鏡胴であって、前記各偏芯調整部材は、前記調芯用貫通孔に嵌合可能な筒形状を呈し、前記各傾倒調整部材は、前記各偏芯調整部材の中空箇所に嵌合可能とされていることを特徴とする。
【００１２】
請求項７に記載のレンズ鏡胴は、請求項１から請求項６のいずれか１項に記載のレンズ鏡胴であって、前記レンズ群を第１のレンズ群とし、前記レンズ保持枠を第１のレンズ保持枠として、さらに、少なくとも１つ以上のレンズからなる第２のレンズ群と、該第２のレンズ群を保持する第２のレンズ保持枠と、前記支持枠および前記第２のレンズ保持枠を内部で移動可能に保持するレンズ鏡筒と、を備えることを特徴とする。
【００１３】
請求項８に記載の撮像装置は、請求項１から請求項７のいずれか１項に記載のレンズ鏡胴を用いることを特徴とする。
【００１４】
請求項９に記載のデジタルカメラは、請求項１から請求項７のいずれか１項に記載のレンズ鏡胴を用いることを特徴とする。
【００１５】
請求項１０に記載の携帯型情報端末装置は、請求項１から請求項７のいずれか１項に記載のレンズ鏡胴を用いることを特徴とする。
【００１６】
請求項１１に記載の画像入力装置は、請求項１から請求項７のいずれか１項に記載のレンズ鏡胴を用いることを特徴とする。
【発明の効果】
【００１７】
請求項１に記載のレンズ鏡胴では、支持枠に対するレンズ保持枠の偏芯調整のための偏芯調整部材および傾倒調整のための傾倒調整部材が、支持枠の各調芯用貫通孔に互いに回転可能に同軸（孔軸線）上に組み込まれていることから、偏芯調整部材および傾倒調整部材のための配置スペースを半減しつつ偏芯調整と傾倒調整とを互いに独立して行うことができる。
【００１８】
また、支持枠内において偏芯調整部材および傾倒調整部材により支持された状態を維持したまま、レンズ保持枠すなわちレンズ群の偏芯調整および傾倒調整（調芯）を行うことができることから、調芯作業が完了した後にその調芯状態を維持すべく接着剤等で固定する必要がないので、レンズ群を高精度に調芯した撮影光学系を得ることができる。
【００１９】
上記した構成に加えて、前記各偏芯調整部材は、少なくとも２つが前記調芯用貫通孔内において該調芯用貫通孔の孔軸線回りの回転に伴って前記支持点を前記孔軸線方向に変位させるべく該孔軸線方向に進退可能とされ、かつ少なくとも１つが前記調芯用貫通孔内において前記レンズ保持枠を前記孔軸線方向内側に付勢可能とされていることとすると、孔軸線方向に進退可能とされた偏芯調整部材によるレンズ保持枠への支持点を回転操作により孔軸線方向に変化させるだけで、レンズ保持枠すなわちレンズ群の偏芯位置を調整することができ、偏芯調整のための作業をより簡易なものとすることができる。
【００２０】
また、レンズ保持枠が、支持枠内において撮影光軸に直交する方向で見て、孔軸線方向に進退可能とされた偏芯調整部材による支持点へと、光軸方向付勢部材により常時付勢されていることから、支持枠に対する撮影光軸に直交する方向でのレンズ保持枠すなわちレンズ群の支持位置を、より適切に調整することができる。
【００２１】
上記した構成に加えて、前記各偏芯調整部材は、前記各調芯用貫通孔内において、該調芯用貫通孔の孔軸線周りの回転に伴って前記支持点を前記孔軸線方向に変位させるべく該孔軸線方向に進退可能とされていることとすると、各傾倒調整部材を回転操作することにより、レンズ保持枠すなわちレンズ群の傾斜を調整することができるので、簡易な構成でレンズ群を傾倒調整することができる。
【００２２】
上記した構成に加えて、前記傾倒調整部材には、前記各調芯用貫通孔内において、該調芯用貫通孔の孔軸線方向に延在するとともに該孔軸線とは偏芯された偏芯軸部が設けられており、前記傾倒調整部材は、前記各調芯用貫通孔内において、前記孔軸線周りの回転が可能とされるとともに、前記偏芯軸部を前記レンズ光軸方向で前記レンズ保持枠と当接可能とされていることとすると、より小さく簡易な構成としつつ、傾倒調整部材の回転操作量に対するレンズ群の撮影光軸方向での変化量を微小なものとしつつ漸次的な変化を可能とすることができるので、より高精度にレンズ群の傾斜を調整することができる。
【００２３】
上記した構成に加えて、前記支持枠には、前記レンズ保持枠を前記レンズ光軸方向の前記各偏芯軸部側に付勢する光軸方向付勢部材が設けられていることとすると、支持枠に対する撮影光軸方向でのレンズ保持枠すなわちレンズ群の支持位置を、より適切に調整することができる。
【００２４】
上記した構成に加えて、前記各偏芯調整部材は、前記調芯用貫通孔に嵌合可能な筒形状を呈し、前記各傾倒調整部材は、前記各偏芯調整部材の中空箇所に嵌合可能とされていることとすると、各調芯用貫通孔において、偏芯調整および傾倒調整を可能としつつ偏芯調整部材と傾倒調整部材とを同軸（孔軸線）上に組み込むことができる。このため、より小さく簡易な構成とすることができる。
【００２５】
上記した構成に加えて、前記レンズ群を第１のレンズ群とし、前記レンズ保持枠を第１のレンズ保持枠として、さらに、少なくとも１つ以上のレンズからなる第２のレンズ群と、該第２のレンズ群を保持する第２のレンズ保持枠と、前記支持枠および前記第２のレンズ保持枠を内部で移動可能に保持するレンズ鏡筒と、を備えることとすると、とすると、調整保持機構により高精度に調芯した第１のレンズ群を保持する第１のレンズ保持枠を、そのまま撮像光学系として組み込むことができるので、より高い撮像性能を得ることができる。
【図面の簡単な説明】
【００２６】
【図１】本発明に係る一例としてのレンズ鏡胴１０における各レンズ群、各レンズ保持枠ならびに各種レンズ鏡胴１０の要部を模式的に示す縦断面図である。
【図２】第５レンズ保持枠２５が、レンズ調芯機構６０を介して第５レンズ用支持枠２６に支持される支持構造を模式的に示す斜視図であり、（ａ）は第５レンズ保持枠２５が、レンズ調芯機構６０を介して第５レンズ用支持枠２６に支持された様子を示し、（ｂ）は第５レンズ保持枠２５および波ワッシャ６５が挿入された第５レンズ用支持枠２６の各調芯用貫通孔２６ｂに、３つの傾倒調整部材６１、２つの偏芯調整ネジ６２、偏芯調整固定ネジ６３および圧縮スプリング６４が挿入される組み付けられる様子を示している。
【図３】図２を部品毎に展開して示す模式的な斜視図である。
【図４】傾倒調整部材６１および傾倒用係合孔２７の構成を説明するための模式的な斜視図である。
【図５】傾倒調整部材６１の構成を説明するための模式的な斜視図である。
【図６】偏芯調整ネジ６２の構成を説明するための模式的な斜視図である。
【図７】偏芯調整固定ネジ６３および圧縮スプリング６４の構成を説明するための模式的な斜視図である。
【図８】図２に示すＩ−Ｉ線に沿って得られた断面図である。
【図９】図２に示すII−II線に沿って得られた断面図である。
【図１０】本発明に係るレンズ鏡胴１０が用いられたカメラ１００の外観構成を模式的に示す被写体側から見た斜視図であり、（ａ）は撮影レンズをカメラのボディ内に沈胴収納している状態、（ｂ）は撮影レンズがカメラのボディから突出している状態を示している。
【図１１】撮影者側である背面側から見たカメラ１００の外観を示す模式的な斜視図である。
【図１２】カメラ１００の機能構成を示すブロック図である。
【発明を実施するための形態】
【００２７】
以下に、本発明に係るレンズ鏡胴の実施例について図面を参照しつつ説明する。
【実施例】
【００２８】
本発明に係るレンズ鏡胴の一実施例としてのレンズ鏡胴１０の概略的な構成を、図１ないし図９を用いて説明する。
【００２９】
レンズ鏡胴１０を含む光学装置は、図１に示すように、第１レンズ群１１、第２レンズ群１２、第３レンズ群１３、第４レンズ群１４、第５レンズ群１５、シャッタ／絞りユニット１６、固体撮像素子１７、ローパスフィルタ１８、直進筒２１、第２レンズ保持枠２２、第３レンズ保持枠２３、第４レンズ保持枠２４、第５レンズ保持枠２５、第５レンズ用支持枠２６、固定筒３１、第１の回転筒３２、第２の回転筒３３、直進ライナー３４、フォーカスモータ５１、レンズ調芯機構６０、を具備している。
【００３０】
この光学装置（撮影光学系）は、被写体（物体）側から第１レンズ群１１、第２レンズ群１２、第３レンズ群１３、第４レンズ群１４および第５レンズ群１５が順次配列されるとともに、第３レンズ群１３と第４レンズ群１４の間にシャッタ／絞りユニット１６が挿入配置される。この第５レンズ群１５の像面側には、ＣＣＤ（電荷結合素子）等を用いて構成される固体撮像素子１７と、その受光面を覆うようにローパスフィルタ１８と、が配置される。固体撮像素子１７は、図示は略すが、電子部品が実装されて電子回路部を構成する基板に実装されており、当該基板は、図示を略すベース部材に固定されている。
【００３１】
第１レンズ群１１は、１枚以上のレンズからなる。この第１レンズ群１１は、それらを一体的に保持する第１レンズ保持枠（図示せず）を介して直進筒２１に固定保持されている。
【００３２】
第２レンズ群１２は、１枚以上のレンズからなる。この第２レンズ群１２は、第２レンズ保持枠２２に固定保持されている。その第２レンズ保持枠２２の外周面後端部には、カムフォロア２２ａが設けられている。このカムフォロア２２ａは、回転中心から放射方向へ向けて（以下、径方向ともいう）外周面から突出形成され、直進ライナー３４の直進キー溝３４ｂに係合するとともに、その先端が第１の回転筒３２の内周面に設けられたカム溝３２ｂに係合している。
【００３３】
第３レンズ群１３は、１枚のレンズからなる。この第３レンズ群１３は、第３レンズ保持枠２３に固定保持されている。その第３レンズ保持枠２３は、第２レンズ保持枠２２に固定されるフォーカスモータ５１のリードスクリュー５１ａに、明確に図示はしないがナット機構あるいはラック機構により支持されている。この第３レンズ保持枠２３は、第２レンズ保持枠２２と一体的に撮影光軸方向に移動可能であるとともに、フォーカスモータ５１の駆動により当該第２レンズ保持枠２２に対して撮影光軸方向に移動可能とされている。この第３レンズ群１３は、本実施例では、ピント合わせ、つまり合焦を行うフォーカスレンズとして用いられており、焦点調節時にはフォーカスモータ５１の回転により撮影光軸方向での位置が調節される。
【００３４】
第４レンズ群１４は、１枚以上のレンズからなる。この第４レンズ群１４は、第４レンズ保持枠２４に固定保持されている。その第４レンズ保持枠２４は、シャッタ／絞りユニット１６を一体的に保持するとともに、外周面後端部にはカムフォロア２４ａが設けられている。そのカムフォロア２４ａは、後端部から径方向に突出形成され、直進ライナー３４の直進キー溝３４ｂに係合するとともに、その先端が第１の回転筒３２の内周面に設けられたカム溝３２ｃに係合している。
【００３５】
第５レンズ群１５は、１枚以上のレンズからなる。この第５レンズ群１５は、第５レンズ保持枠２５に固定保持されている。その第５レンズ保持枠２５は、レンズ調芯機構６０を介して第５レンズ用支持枠２６に支持されている。その第５レンズ用支持枠２６の外周面後端部には、カムフォロア２６ａが設けられている。そのカムフォロア２６ａは、後端部から径方向に突出形成されており、直進ライナー３４の直進キー溝３４ｂに係合するとともに、その先端が第１の回転筒３２の内周面に設けられたカム溝３２ｄに係合している。そのレンズ調芯機構６０およびその周辺の構成については、後に詳細に説明する。
【００３６】
第４レンズ保持枠２４に一体的に保持されたシャッタ／絞りユニット１６は、シャッタおよび開口絞りを含むものである。これら第１レンズ群１１から第５レンズ群１５は、焦点距離可変のズームレンズとしての撮像光学系を構成する。この撮像光学系の結像位置に、上述した電子回路部（固体撮像素子１７）が配置される。この明細書では、撮像光学系における光学的な軸線、すなわち第１レンズ群１１から第５レンズ群１５の中心軸位置となる回転対称軸を、撮像光学系のレンズ光軸すなわちレンズ鏡胴１０の撮影光軸ＯＡとする。
【００３７】
固定筒３１は、全体に円筒形状を呈し、ベース部材（図示せず）に固定されている。この固定筒３１の内周面には、ヘリコイド３１ａが形成されている。この固定筒３１の内周に第２の回転筒３３が嵌合されている。
【００３８】
第２の回転筒３３は、全体に円筒形状を呈する。この第２の回転筒３３では、外周面後端部にヘリコイド３３ａが設けられ、内周面後端部に駆動ピン３３ｂが設けられている。そのヘリコイド３３ａは、固定筒３１の内周面に設けられたヘリコイド３１ａに螺合される。また、駆動ピン３３ｂは、基端部から径方向に突出形成され、第１の回転筒３２の外周に設けられた直進溝（図示せず）に係合している。このため、第２の回転筒３３は、固定筒３１に対して第１の回転筒３２が回転すると、駆動ピン３３ｂの直進溝（図示せず）への係合により第１の回転筒３２と一体的に回転するとともに、ヘリコイド３３ａのヘリコイド３１ａへの螺合により固定筒３１に対して（第１の回転筒３２に対しても）撮影光軸ＯＡ方向に進退する。この第２の回転筒３３の内周に直進筒２１が嵌合されている。
【００３９】
直進筒２１は、全体に円筒形状を呈する。この直進筒２１には、外周面にカムフォロア２１ａが設けられ、内周面に撮影光軸ＯＡに沿って延在する直進溝（図示せず）が設けられている。そのカムフォロア２１ａは、撮影光軸ＯＡに直交する面に沿って、外周面から径方向に突出形成され、第２の回転筒３３の内周面に設けられたカム溝３３ｃに係合している。この直進筒２１の内周に第１の回転筒３２が嵌合され、その内周に直進ライナー３４が嵌合されている。
【００４０】
直進ライナー３４は、全体に円筒形状を呈し、ベース部材（図示せず）に固定されている。この直進ライナー３４には、外周面先端部にキー部３４ａが設けられ、周壁部に直進キー溝３４ｂが設けられている。このキー部３４ａは、外周面から径方向に突出形成され、直進筒２１の内周面に設けられた直進溝（図示せず）に係合している。このため、直進ライナー３４は、キー部３４ａの直進溝（図示せず）への係合により、直進筒２１の撮影光軸ＯＡ回りの回転を規制しつつ撮影光軸ＯＡ方向への相対的な移動を可能としている。また、直進キー溝３４ｂは、周壁部を径方向に貫通しつつ撮影光軸ＯＡ方向に延在されている。この直進ライナー３４の内周には、第２レンズ保持枠２２、第４レンズ保持枠２４および第５レンズ用支持枠２６が嵌合されており、その直進キー溝３４ｂには、上述したように、第２レンズ保持枠２２のカムフォロア２２ａ、第４レンズ保持枠２４のカムフォロア２４ａおよび第５レンズ用支持枠２６のカムフォロア２６ａが挿通されている。このため、直進ライナー３４は、直進キー溝３４ｂで、カムフォロア２２ａ、カムフォロア２４ａおよびカムフォロア２６ａを受け入れることにより、第２レンズ保持枠２２、第４レンズ保持枠２４および第５レンズ用支持枠２６の撮影光軸ＯＡ回りの回転を規制しつつ撮影光軸ＯＡ方向への相対的な移動を可能としている。この直進ライナー３４の外周に第１の回転筒３２が嵌合されている。
【００４１】
第１の回転筒３２は、全体に円筒形状を呈する。この第１の回転筒３２は、撮影光軸ＯＡ方向で直進ライナー３４のキー部３４ａとベース部材（図示せず）とに挟持されており、ベース部材（図示せず）すなわち直進ライナー３４に対して、撮影光軸ＯＡ（撮影光路）方向の位置を固定したまま撮影光軸ＯＡ回りの回転が可能とされている。第１の回転筒３２の外周面基端部には、ギア部３２ａが形成されている。このギア部３２ａは、図示を略すベース部材に固定的に設けられた駆動装置（図示せず）のギアが螺合されている。このため、第１の回転筒３２は、当該駆動装置の駆動力がギア伝達されることにより、固定筒３１および直進ライナー３４に対して回転駆動される。この第１の回転筒３２の内周面には、カム溝３２ｂ、カム溝３２ｃおよびカム溝３２ｄが設けられている。上述したように、カム溝３２ｂには、直進キー溝３４ｂを経たカムフォロア２２ａが係合され、カム溝３２ｃには、直進キー溝３４ｂを経たカムフォロア２４ａが係合され、カム溝３２ｄには、直進キー溝３４ｂを経たカムフォロア２６ａが係合されている。このため、第１の回転筒３２が固定筒３１および直進ライナー３４に対して回転駆動されることにより、第２レンズ保持枠２２がカム溝３２ｂのカム軌跡に倣うように進退し、第４レンズ保持枠２４がカム溝３２ｃのカム軌跡に倣うように進退し、第５レンズ用支持枠２６がカム溝３２ｄのカム形状カム軌跡に倣うように進退する。
【００４２】
このレンズ鏡胴１０では、上述した構成により、図示を略す駆動装置の駆動力が適宜ギアを介してギア部３２ａに伝達されて第１の回転筒３２が回動され、それにより第１レンズ群１１、第２レンズ群１２、第３レンズ群１３、第４レンズ群１４（シャッタ／絞りユニット１６）、第５レンズ群１５が、所定のごとくズーミング動作する。
【００４３】
次に、第５レンズ用支持枠２６におけるレンズ調芯機構６０を介する第５レンズ保持枠２５の支持構造について説明する。図２は、第５レンズ保持枠２５が、レンズ調芯機構６０を介して第５レンズ用支持枠２６に支持される支持構造を模式的に示す斜視図であり、図３は、図２を部品毎に展開して示す模式的な斜視図である。なお、以下では、上述した径方向を撮影光軸ＯＡに対する径方向と言う。
【００４４】
第５レンズ保持枠２５は、上述したように第５レンズ群１５を保持するものである。この第５レンズ保持枠２５は、図２および図３に示すように、第５レンズ用支持枠２６の内周に収容可能な円板形状を呈し、中央に第５レンズ群１５を嵌合保持するための保持孔２５ａが設けられ、周縁部に周縁壁部２５ｂが設けられている。この周縁壁部２５ｂは、保持する第５レンズ群１５で見た撮影光軸ＯＡを中心とする環状の壁部であり、周縁部から後端側（像面側）へ向けて延出されて第５レンズ保持枠２５における外周面を形成している。周縁壁部２５ｂ（第５レンズ保持枠２５）は、偏芯調整のために、第５レンズ用支持枠２６内で撮影光軸ＯＡと直交する方向（撮影光軸ＯＡに対する径方向）に第５レンズ保持枠２５が変位することを可能とするだけの遊び（間隔）を有する外径寸法とされている（図８および図９参照）。
【００４５】
その周縁壁部２５ｂには、３つの傾倒用係合孔２７が設けられている。この各傾倒用係合孔２７は、周縁壁部２５ｂを撮影光軸ＯＡに対する径方向に貫通して形成されている（図８および図９参照）。各傾倒用係合孔２７は、基本的に、図４に示すように、当該傾倒用係合孔２７の軸線に直交する断面で見て円形状を呈している。この各傾倒用係合孔２７は、本実施例では、撮影光軸ＯＡ回りの方向で見て、互いに等しい位置（回転角度で１２０度毎）に設けられている。各傾倒用係合孔２７には、当該傾倒用係合孔２７の軸線と直交する方向（当該軸線に対する径方向）で対を為すように孔径拡張部２７ａが設けられている。
【００４６】
その一対の孔径拡張部２７ａは、後述する傾倒調整部材６１の係合片部６１ｃの挿通を許すべく、周縁壁部２５ｂを撮影光軸ＯＡに対する径方向に貫通している。また、周縁壁部２５ｂでは、外周面側に傾倒用係合孔２７を取り巻くように円形の外側受入凹所２７ｂが設けられ、周縁壁部２５ｂの内周面側に傾倒用係合孔２７を取り巻くように円形の内側受入凹所２７ｃ（図８および図９参照）が設けられている。このため、各傾倒用係合孔２７では、外側受入凹所２７ｂと内側受入凹所２７ｃとにより、傾倒用係合孔２７の軸線方向（撮影光軸ＯＡに対する径方向）で見た厚さ寸法が規定される係合リブ部２７ｄが形成されている。この係合リブ部２７ｄは、傾倒用係合孔２７における実質的な孔形状（内径寸法）を規定している。
【００４７】
また、周縁壁部２５ｂの外周面では、２つの傾倒用係合孔２７の近傍位置に当接突起部２８が設けられている。換言すると、残りの１つの傾倒用係合孔２７の近傍位置には当接突起部２８が設けられていない。この両当接突起部２８は、対応する傾倒用係合孔２７の外側受入凹所２７ｂに隣接する位置に設けられており、外周面から撮影光軸ＯＡに対する径方向に突出形成されている。両当接突起部２８は、本実施例では、断面形状が半円状とされている（図８参照）。
【００４８】
その第５レンズ保持枠２５を支持する第５レンズ用支持枠２６は、図２および図３に示すように、全体に円筒形状を呈し、直進ライナー３４の内周に嵌合可能とされている（図１参照）。この第５レンズ用支持枠２６は、上述したように、外周面後端部に設けられたカムフォロア２６ａが、直進ライナー３４の直進キー溝３４ｂを経て第１の回転筒３２のカム溝３２ｄに係合されることにより、第１の回転筒３２の回転駆動により進退可能とされている。その第５レンズ用支持枠２６には、３つの調芯用貫通孔２６ｂと、支持リブ２６ｃとが設けられている。各調芯用貫通孔２６ｂは、第５レンズ用支持枠２６の周壁部を撮影光軸ＯＡに対する径方向に貫通して形成されており、その軸線（以下では、孔軸線ＢＡともいう）に直交する断面で見て円形状を呈している。この各調芯用貫通孔２６ｂは、第５レンズ保持枠２５の各傾倒用係合孔２７に対応する、すなわち撮影光軸ＯＡに対する径方向で見て、収容（支持）した第５レンズ保持枠２５の各傾倒用係合孔２７と互いの軸線を一致させることが可能とされている。各調芯用貫通孔２６ｂは、本実施例では、撮影光軸ＯＡ回りの方向で見て、互いに等しい位置（回転角度で１２０度毎）に設けられている。その各調芯用貫通孔２６ｂの内周壁面には、ネジ溝（雌ねじ）が設けられている。
【００４９】
支持リブ２６ｃは、各調芯用貫通孔２６ｂよりも後端側（像面側）において、第５レンズ用支持枠２６の内径寸法を縮小させるように内周面から内側へ向けて延出されており、撮影光軸ＯＡ回りの全周に渡って設けられている。この支持リブ２６ｃは、第５レンズ用支持枠２６の内周に第５レンズ保持枠２５が収容される際、その後端面２５ｃ（周縁壁部２５ｂの後端面（図８および図９参照））とで後述する波ワッシャ６５を挟持することを可能とするものである。支持リブ２６ｃは、本実施例では、第５レンズ保持枠２５の後端面２５ｃと撮影光軸ＯＡ方向で対向可能とされている。この第５レンズ用支持枠２６内で第５レンズ保持枠２５を支持すべくレンズ調芯機構６０が設けられる。
【００５０】
そのレンズ調芯機構６０は、図３に示すように、３つの傾倒調整部材６１と、２つの偏芯調整ネジ６２と、偏芯調整固定ネジ６３と、圧縮スプリング６４と、波ワッシャ６５と、を有する。
【００５１】
傾倒調整部材６１は、第５レンズ用支持枠２６に対する第５レンズ保持枠２５の撮影光軸ＯＡ方向での支持点を形成するものである。この傾倒調整部材６１は、図５に示すように、本体柱部６１ａと、偏芯軸部６１ｂと、一対の係合片部６１ｃと、を有する。本体柱部６１ａは、円柱形状を呈し、後述する偏芯調整ネジ６２の内方孔部分６２ａもしくは偏芯調整固定ネジ６３の内方孔部分６３ｃへの回転自在な嵌合が可能とされている（図８または図９参照）。この本体柱部６１ａは、傾倒用係合孔２７において、外側受入凹所２７ｂ内への進入が可能であるとともに、係合リブ部２７ｄ内（対を為す係合リブ部２７ｄの間の空間）へと挿通することのできない外径寸法とされている。本体柱部６１ａには、先端部（偏芯軸部６１ｂとは反対側）にスリット溝６１ｄが設けられている。このスリット溝６１ｄは、本体柱部６１ａの先端面をスリット状に凹ませる溝部であり、所謂マイナスと呼ばれる穴形状を構成している。この本体柱部６１ａの軸線を、傾倒調整部材６１における中心軸線ＣＡとする。
【００５２】
偏芯軸部６１ｂは、本体柱部６１ａよりも小さな径寸法の円筒形状を呈し、傾倒用係合孔２７の係合リブ部２７ｄ（対を為す係合リブ部２７ｄの間の空間）への挿通が可能とされている。この偏芯軸部６１ｂは、傾倒用係合孔２７の係合リブ部２７ｄ内において、その軸線に直交する方向への移動が可能な大きさ寸法とされている（図８および図９参照）。偏芯軸部６１ｂは、軸線を偏芯軸線ＥＡとすると、当該偏芯軸線ＥＡが中心軸線ＣＡから偏芯するように（中心軸線ＣＡとは平行にずらすように）、本体柱部６１ａに連続されている。その偏芯軸部６１ｂに一対の係合片部６１ｃが設けられている。
【００５３】
その両係合片部６１ｃは、偏芯軸部６１ｂの外周面から偏芯軸線ＥＡに直交する方向で対を為すように突出形成されており、傾倒用係合孔２７の各孔径拡張部２７ａへの当該傾倒用係合孔２７の軸線方向での挿通が可能とされている。この両係合片部６１ｃは、傾倒用係合孔２７において、内側受入凹所２７ｃ内への進入が可能な外径寸法とされている。両係合片部６１ｃは、図８および図９に示すように、その上端面６１ｅと本体柱部６１ａの下端面６１ｆとの間で、傾倒用係合孔２７の係合リブ部２７ｄを挟持することができるように位置設定されている。すなわち、傾倒調整部材６１は、傾倒用係合孔２７内において、本体柱部６１ａの下端面６１ｆを外側受入凹所２７ｂに宛がいつつ、両係合片部６１ｃの上端面６１ｅを内側受入凹所２７ｃに宛がうことが可能とされている。このため、傾倒調整部材６１は、一対の係合片部６１ｃを一対の孔径拡張部２７ａに対応させて傾倒用係合孔２７に挿通した後にその傾倒用係合孔２７内で回転されることにより、一対の係合片部６１ｃ（その上端面６１ｅ）が内側受入凹所２７ｃに係合し、当該傾倒用係合孔２７から抜け落ちることを防止する所謂バヨネット係合が可能とされている。
【００５４】
２つの偏芯調整ネジ６２は、第５レンズ用支持枠２６に対する第５レンズ保持枠２５の撮影光軸ＯＡに直交する方向での支持点を形成するものである。この両偏芯調整ネジ６２は、図６に示すように、円筒形状を呈する。両偏芯調整ネジ６２は、第５レンズ用支持枠２６の調芯用貫通孔２６ｂへの嵌合が可能な外径寸法とされており、外周壁面に調芯用貫通孔２６ｂの内周壁面に設けられたネジ溝に螺合可能なネジ溝（雄ねじ）が設けられている。この両偏芯調整ネジ６２の中空箇所としての内方孔部分６２ａは、偏芯調整ネジ６２の軸線を中心とする内周面により規定されており、傾倒調整部材６１の本体柱部６１ａの回転自在な嵌合を許容するものとされている（図８参照）。このため、両偏芯調整ネジ６２は、調芯用貫通孔２６ｂ内に挿入されることにより、回転に伴う調芯用貫通孔２６ｂの孔軸線ＢＡ方向への移動が可能とされているとともに、その孔軸線ＢＡに中心軸線ＣＡを一致させるように傾倒調整部材６１を内方孔部分６２ａで回動自在に保持することが可能とされている。また、この両偏芯調整ネジ６２は、調芯用貫通孔２６ｂ内での孔軸線ＢＡ方向の撮影光軸ＯＡ側へと移動されると、底面６２ｂを第５レンズ保持枠２５の周縁壁部２５ｂの当接突起部２８に当接させることが可能とされている（図８参照）。
【００５５】
この両偏芯調整ネジ６２には、先端部（底面６２ｂとは反対側）にスリット溝６２ｃが設けられている。このスリット溝６２ｃは、先端面をスリット状に凹ませる溝部であり、所謂マイナスと呼ばれる穴形状を構成している。両偏芯調整ネジ６２は、調芯用貫通孔２６ｂ内において、底面６２ｂを当接突起部２８に当接させる位置まで孔軸線ＢＡ方向の撮影光軸ＯＡ側へと移動された状態において（図８参照）、内方孔部分６２ａで受け入れた傾倒調整部材６１の先端（スリット溝６１ｄの先端位置）よりも、先端のスリット溝６２ｃの底部が上側（撮影光軸ＯＡに対する径方向の外側）に位置するものとされている。
【００５６】
偏芯調整固定ネジ６３は、第５レンズ用支持枠２６に対する第５レンズ保持枠２５の撮影光軸ＯＡに直交する方向での支持点を形成するものである。この偏芯調整固定ネジ６３は、図７に示すように、全体に筒形状を呈し、先端側（一端側（撮影光軸ＯＡに対する径方向で外側））が相対的に径寸法の大きい段付きの外観形状とされている（図９参照）。偏芯調整固定ネジ６３の大径部分６３ａは、第５レンズ用支持枠２６の調芯用貫通孔２６ｂへの嵌合が可能な外径寸法とされており、その外周壁面には、調芯用貫通孔２６ｂの内周壁面のネジ溝に螺合可能なネジ溝（雄ねじ）が設けられている。また、偏芯調整固定ネジ６３の小径部分６３ｂは、後述する圧縮スプリング６４の内方への挿通を可能とする外径寸法とされている。この偏芯調整固定ネジ６３の中空箇所としての内方孔部分６３ｃは、大径部分６３ａおよび小径部分６３ｂを貫通しており、偏芯調整固定ネジ６３の軸線を中心とする内周面により規定されている。この内方孔部分６３ｃは、傾倒調整部材６１の本体柱部６１ａの回転自在な嵌合を許容するものとされている（図９参照）。このため、偏芯調整固定ネジ６３は、調芯用貫通孔２６ｂ内に挿入されることにより、回転に伴う調芯用貫通孔２６ｂの孔軸線ＢＡ方向での位置の変更を可能としつつ調芯用貫通孔２６ｂ内に固定可能とされているとともに、その孔軸線ＢＡに中心軸線ＣＡを一致させるように傾倒調整部材６１を内方孔部分６３ｃで回動自在に保持することが可能とされている。
【００５７】
この偏芯調整固定ネジ６３には、大径部分６３ａの先端部（小径部分６３ｂとは反対側）にスリット溝６３ｄが設けられている。このスリット溝６３ｄは、先端面をスリット状に凹ませる溝部であり、所謂マイナスと呼ばれる穴形状を構成している。偏芯調整固定ネジ６３は、調芯用貫通孔２６ｂ内において、後述する圧縮スプリング６４を適切に圧縮させる位置まで孔軸線ＢＡ方向の撮影光軸ＯＡ側へと移動された状態において（図９参照）、内方孔部分６３ｃで受け入れた傾倒調整部材６１の先端（スリット溝６１ｄの先端位置）よりも、先端のスリット溝６３ｄの底部が上側（撮影光軸ＯＡに対する径方向の外側）に位置するものとされている。
【００５８】
圧縮スプリング６４は、その偏芯調整固定ネジ６３の小径部分６３ｂを取り巻くことが可能であるとともに、大径部分６３ａの挿通を許すことのない内径寸法とされている。また、圧縮スプリング６４は、第５レンズ用支持枠２６の調芯用貫通孔２６ｂへの挿通を可能とするとともに、第５レンズ保持枠２５の傾倒用係合孔２７に挿通することのできない外径寸法とされている。この圧縮スプリング６４は、本実施例では、偏芯調整固定ネジ６３の小径部分６３ｂを取り巻きつつ一端６４ａが大径部分６３ａの下面６３ｅ（小径部分６３ｂ側の面）に当接されると、他端６４ｂが、傾倒用係合孔２７の外側受入凹所２７ｂを取り巻くように、第５レンズ保持枠２５の周縁壁部２５ｂの外周面に当接可能とされている（図９参照）。このため、圧縮スプリング６４は、偏芯調整固定ネジ６３とともに傾倒用係合孔２７に配置されることにより、偏芯調整固定ネジ６３の大径部分６３ａの下面６３ｅと、第５レンズ保持枠２５の周縁壁部２５ｂの外周面と、を離間させるように付勢することが可能とされている。この圧縮スプリング６４では、偏芯調整固定ネジ６３の小径部分６３ｂにより、その付勢方向が傾倒用係合孔２７の孔軸線ＢＡ方向すなわち撮影光軸ＯＡに対する径方向とされている。なお、圧縮スプリング６４は、調芯用貫通孔２６ｂ内において第５レンズ保持枠２５を孔軸線ＢＡ方向内側に付勢可能なものであればよく、本実施例の構成に限定されるものではない。
【００５９】
波ワッシャ６５は、第５レンズ用支持枠２６に対して、第５レンズ保持枠２５を傾倒調整部材６１により形成された支持点（偏芯軸部６１ｂの外周面）へ向けて付勢する光軸方向付勢部材である。この波ワッシャ６５は、本実施例では、図３に示すように、弾性変形が可能な帯状の材料が円環状とされて形成されており、その軸線方向（撮影光軸ＯＡに一致される）での高さ位置が周方向での位置によって異なるように起伏された所謂波状とされている。波ワッシャ６５は、第５レンズ用支持枠２６の内周に嵌合可能な外径寸法とされており、その支持リブ２６ｃに当接可能とされている。このため、波ワッシャ６５は、支持リブ２６ｃと、そこに撮影光軸ＯＡ方向で対向可能な第５レンズ保持枠２５の後端面２５ｃ（周縁壁部２５ｂの後端面）と、の間に延在することが可能とされている。なお、波ワッシャ６５は、第５レンズ用支持枠２６に対して、第５レンズ保持枠２５を傾倒調整部材６１により形成された支持点（偏芯軸部６１ｂの外周面）へ向けて付勢するものであればよく、本実施例の構成に限定されるものではない。
【００６０】
次に、第５レンズ用支持枠２６におけるレンズ調芯機構６０を介する第５レンズ保持枠２５の支持構造の組み付け手順について説明する。なお、以下に記載する組み付け手順は、一例であって本実施例に限定されるものではない。
【００６１】
この支持構造では、図３に示すように、先ず、第５レンズ用支持枠２６の物体側（先端側）から波ワッシャ６５を挿入し、その波ワッシャ６５を第５レンズ用支持枠２６内で支持リブ２６ｃに当接させて配置する。その後、第５レンズ用支持枠２６の物体側（先端側）から第５レンズ保持枠２５を挿入し、その第５レンズ保持枠２５の後端面２５ｃ（周縁壁部２５ｂの後端面）を波ワッシャ６５に当接させて配置する。これにより、波ワッシャ６５は、第５レンズ保持枠２５の後端面２５ｃと支持リブ２６ｃとで挟持されることとなる（図８および図９参照）。このとき、第５レンズ用支持枠２６の各調芯用貫通孔２６ｂと、第５レンズ保持枠２５の傾倒用係合孔２７と、を一致（孔軸線ＢＡに中心軸線ＣＡを一致させる）する位置関係とする。
【００６２】
次に、図２（ｂ）に示すように、第５レンズ用支持枠２６の外側から、調芯用貫通孔２６ｂに傾倒調整部材６１を挿入して、その内側に位置された第５レンズ保持枠２５の傾倒用係合孔２７に挿入する（図４参照）。このとき、傾倒調整部材６１の一対の係合片部６１ｃを一対の孔径拡張部２７ａに対応させて傾倒用係合孔２７へと挿入する（図４参照）。その傾倒調整部材６１を、傾倒用係合孔２７内で回転して、図８および図９に示すように、一対の係合片部６１ｃ（その上端面６１ｅ）を内側受入凹所２７ｃに係合（バヨネット係合）させる。これにより、傾倒調整部材６１は、傾倒用係合孔２７内において、本体柱部６１ａの下端面６１ｆが外側受入凹所２７ｂに宛がわれるとともに、両係合片部６１ｃの上端面６１ｅが内側受入凹所２７ｃに宛がわれて、傾倒用係合孔２７の係合リブ部２７ｄを挟持し、抜け落ちることが防止される。
【００６３】
次に、３つの調芯用貫通孔２６ｂのうち、図２（ｂ）に示すように、当接突起部２８が隣接された２つの調芯用貫通孔２６ｂのそれぞれに、第５レンズ用支持枠２６の外側から偏芯調整ネジ６２を組み込む。この偏芯調整ネジ６２は、図８に示すように、内方孔部分６２ａで傾倒調整部材６１の本体柱部６１ａを受け入れつつ、外周壁面のネジ溝を調芯用貫通孔２６ｂの内周壁面のネジ溝に螺合させることで、調芯用貫通孔２６ｂへと組み込む。このとき、両偏芯調整ネジ６２を、螺合量（ネジピッチに従う進退量）の調節により、調芯用貫通孔２６ｂ内で孔軸線ＢＡ方向の撮影光軸ＯＡ側へと適宜移動させて、底面６２ｂを第５レンズ保持枠２５の周縁壁部２５ｂの当接突起部２８に当接させる。これにより、両偏芯調整ネジ６２は、調芯用貫通孔２６ｂの孔軸線ＢＡに中心軸線ＣＡを一致させるように傾倒調整部材６１を回動自在に保持している。このため、当接突起部２８が隣接された２つの調芯用貫通孔２６ｂには、偏芯調整ネジ６２と傾倒調整部材６１とが、互いに回転可能に孔軸線ＢＡ上に組み込まれる。
【００６４】
他方、図２（ｂ）に示すように、３つの調芯用貫通孔２６ｂのうち、当接突起部２８が隣接されていない残りの１つの調芯用貫通孔２６ｂに、第５レンズ用支持枠２６の外側から偏芯調整固定ネジ６３および圧縮スプリング６４を組み込む。この偏芯調整固定ネジ６３は、図９に示すように、小径部分６３ｂを取り巻くように圧縮スプリング６４を配置した状態で、内方孔部分６３ｃで傾倒調整部材６１の本体柱部６１ａを受け入れつつ、大径部分６３ａの外周壁面のネジ溝を調芯用貫通孔２６ｂの内周壁面のネジ溝に螺合させることで、調芯用貫通孔２６ｂへと組み込む。これにより、偏芯調整固定ネジ６３は、調芯用貫通孔２６ｂの孔軸線ＢＡに中心軸線ＣＡを一致させるように傾倒調整部材６１を回動自在に保持している。このため、残りの１つの調芯用貫通孔２６ｂには、偏芯調整固定ネジ６３と圧縮スプリング６４と傾倒調整部材６１とが、互いに回転可能に孔軸線ＢＡ上に組み込まれる。この偏芯調整固定ネジ６３は、調芯用貫通孔２６ｂ内において、一端６４ａが偏芯調整固定ネジ６３の大径部分６３ａの下面６３ｅに当接するとともに、他端６４ｂが第５レンズ保持枠２５の周縁壁部２５ｂの外周面に当接する圧縮スプリング６４を、適切に圧縮させる状態となる位置で、位置決め固定される。この圧縮スプリング６４は、偏芯調整固定ネジ６３の小径部分６３ｂにより、付勢方向（伸縮方向）が孔軸線ＢＡ方向とされている。
【００６５】
これにより、第５レンズ用支持枠２６内に、レンズ調芯機構６０を介して第５レンズ保持枠２５を支持させるように、組み付けることができる（図２（ａ）参照）。この支持構造では、調芯用貫通孔２６ｂ内で孔軸線ＢＡ方向に進退自在に組み付けられた２つの偏芯調整ネジ６２の底面６２ｂが、第５レンズ保持枠２５の周縁壁部２５ｂの当接突起部２８に当接されている。また、調芯用貫通孔２６ｂ内に固定された偏芯調整固定ネジ６３の大径部分６３ａの下面６３ｅに一端６４ａが当接されて圧縮された圧縮スプリング６４の他端６４ｂが、第５レンズ保持枠２５の周縁壁部２５ｂの外周面に当接されている。このため、第５レンズ保持枠２５は、撮影光軸ＯＡに直交する方向（撮影光軸ＯＡに対する径方向）で見て、２つの偏芯調整ネジ６２の底面６２ｂと、圧縮スプリング６４の他端６４ｂと、により支持されていることとなる。
【００６６】
また、この支持構造では、３つの調芯用貫通孔２６ｂ内において、２つの偏芯調整ネジ６２もしくは偏芯調整固定ネジ６３により、傾倒調整部材６１（その本体柱部６１ａ）が中心軸線ＣＡと一致された孔軸線ＢＡを中心として当該孔軸線ＢＡ回りに回動自在に保持されている。この各傾倒調整部材６１には、本体柱部６１ａの中心軸線ＣＡから偏芯された偏芯軸線ＥＡを有する偏芯軸部６１ｂが設けられており、その偏芯軸部６１ｂが傾倒用係合孔２７の係合リブ部２７ｄの内方に位置されている。また、第５レンズ保持枠２５は、後端面２５ｃ（周縁壁部２５ｂの後端面）と第５レンズ用支持枠２６の支持リブ２６ｃとの間に設けられた波ワッシャ６５により、撮影光軸ＯＡ方向で見て各調芯用貫通孔２６ｂ側（先端側（被写体側））へと付勢されている。このため、第５レンズ保持枠２５は、各調芯用貫通孔２６ｂの孔軸線ＢＡ上に設けられた傾倒調整部材６１の偏芯軸部６１ｂに対して、各傾倒用係合孔２７（その係合リブ部２７ｄ）を被写体側（先端側）へと移動させるように、付勢されていることとなる。これにより、各調芯用貫通孔２６ｂの孔軸線ＢＡ上に設けられた傾倒調整部材６１では、偏芯軸部６１ｂにおける像面側に位置する外周面が、各傾倒用係合孔２７の係合リブ部２７ｄにおける物体側の内周面に、当接することとなる。このため、第５レンズ保持枠２５は、撮影光軸ＯＡ方向で見て、各傾倒用係合孔２７の係合リブ部２７ｄを介して、第５レンズ用支持枠２６の各調芯用貫通孔２６ｂに組み付けられた各傾倒調整部材６１の偏芯軸部６１ｂにより支持されていることとなる。
【００６７】
さらに、この支持構造では、各調芯用貫通孔２６ｂ内において、傾倒調整部材６１の本体柱部６１ａが、２つの偏芯調整ネジ６２もしくは偏芯調整固定ネジ６３により中心軸線ＣＡと一致された孔軸線ＢＡを中心として当該孔軸線ＢＡ回りに回動自在に保持されている。その各傾倒調整部材６１では、本体柱部６１ａの中心軸線ＣＡから偏芯された偏芯軸線ＥＡを有する偏芯軸部６１ｂが設けられている。このため、各調芯用貫通孔２６ｂ内で偏芯調整ネジ６２もしくは偏芯調整固定ネジ６３に保持された各傾倒調整部材６１を、各調芯用貫通孔２６ｂの孔軸線ＢＡ回りすなわち本体柱部６１ａの中心軸線ＣＡ回りに回転させると、偏芯軸部６１ｂ（その偏芯軸線ＥＡ）が孔軸線ＢＡ（中心軸線ＣＡ）を中心として周回するように変位することとなる。このことから、各調芯用貫通孔２６ｂ内で各傾倒調整部材６１を回転させることにより、各調芯用貫通孔２６ｂ（その孔軸線ＢＡ）すなわち第５レンズ用支持枠２６に対する偏芯軸部６１ｂの撮影光軸ＯＡ方向での位置を変化させることができる。
【００６８】
この支持構造では、上述したように、第５レンズ用支持枠２６内で波ワッシャ６５により付勢された第５レンズ保持枠２５の各傾倒用係合孔２７の係合リブ部２７ｄにおいて、第５レンズ用支持枠２６の各調芯用貫通孔２６ｂに組み付けられた各傾倒調整部材６１の偏芯軸部６１ｂが当接することにより、第５レンズ保持枠２５が撮影光軸ＯＡ方向の各調芯用貫通孔２６ｂ側へと移動することを規制している。その偏芯軸部６１ｂは、各調芯用貫通孔２６ｂ内で各傾倒調整部材６１が回転されることにより、各調芯用貫通孔２６ｂ（その孔軸線ＢＡ）すなわち第５レンズ用支持枠２６に対する撮影光軸ＯＡ方向での位置が変化する。これにより、各調芯用貫通孔２６ｂ内で傾倒調整部材６１を回転させることで、撮影光軸ＯＡ方向で見て、偏芯軸部６１ｂによる第５レンズ保持枠２５の被写体側への移動の規制位置を変化させることができるので、第５レンズ用支持枠２６内での第５レンズ保持枠２５の３つの支持点を撮影光軸ＯＡ方向に調整することができる。よって、各調芯用貫通孔２６ｂ内で傾倒調整部材６１を適宜回転させることにより、第５レンズ用支持枠２６内において、第５レンズ保持枠２５すなわち第５レンズ群１５の撮影光軸ＯＡに対する傾斜を調整することができる。このとき、各傾倒調整部材６１では、本体柱部６１ａの先端部にスリット溝６１ｄが設けられていることから、極めて小さなマイナスドライバー等の調整用治具の先端をスリット溝６１ｄに差し込むことにより、回転操作が容易なものとされている。このため、本実施例では、３つの傾倒調整部材６１が、第５レンズ用支持枠２６に対する第５レンズ保持枠２５の撮影光軸ＯＡ方向での支持点を変位可能として傾倒調整を可能とする傾倒調整部材として機能する。
【００６９】
また、この支持構造では、上述したように、第５レンズ保持枠２５は、第５レンズ用支持枠２６内において、撮影光軸ＯＡに直交する方向すなわち撮影光軸ＯＡに対する径方向で見て、２つの偏芯調整ネジ６２の底面６２ｂと、圧縮スプリング６４の他端６４ｂと、により支持されている。その２つの偏芯調整ネジ６２は、調芯用貫通孔２６ｂ内で孔軸線ＢＡ回りの回転により孔軸線ＢＡ方向に移動自在に組み付けられおり、かつ圧縮スプリング６４は、調芯用貫通孔２６ｂ内に固定された偏芯調整固定ネジ６３により圧縮されつつ付勢方向（伸縮方向）が孔軸線ＢＡ方向とされている。このため、各調芯用貫通孔２６ｂ内で２つの偏芯調整ネジ６２を回転させることで、撮影光軸ＯＡに直交する方向で見て、各底面６２ｂによる孔軸線ＢＡ方向すなわち撮影光軸ＯＡに対する径方向での支持位置を変化させることができ、かつそれに応じて圧縮スプリング６４が適宜伸縮することによりその他端６４ｂによる孔軸線ＢＡ方向（撮影光軸ＯＡに対する径方向）での支持位置を変化させることができるので、第５レンズ用支持枠２６内での第５レンズ保持枠２５の３つの支持点を撮影光軸ＯＡに直交する方向に調整することができる。よって、各調芯用貫通孔２６ｂ内で２つの偏芯調整ネジ６２を適宜回転させることにより、第５レンズ用支持枠２６内において、第５レンズ保持枠２５すなわち第５レンズ群１５の撮影光軸ＯＡに対する位置（偏芯位置）を調整することができる。このとき、２つの偏芯調整ネジ６２では、先端部にスリット溝６２ｃが設けられていることから、極めて小さなマイナスドライバー等の調整用治具の先端をスリット溝６２ｃに差し込むことにより、回転操作が容易なものとされている。なお、必要があれば、調芯用貫通孔２６ｂ内で偏芯調整固定ネジ６３を適宜回転させることにより、圧縮スプリング６４による付勢力を調整することができるので、当該圧縮スプリング６４の付勢力すなわち圧縮スプリング６４の他端６４ｂによる支持位置を変化させることもできる。この偏芯調整固定ネジ６３も、先端部にスリット溝６３ｄが設けられていることから、極めて小さなマイナスドライバー等の調整用治具の先端をスリット溝６３ｄに差し込むことにより、回転操作が容易なものとされている。このため、本実施例では、２つの偏芯調整ネジ６２と、偏芯調整固定ネジ６３および圧縮スプリング６４とが、第５レンズ用支持枠２６に対する第５レンズ保持枠２５の撮影光軸ＯＡに直交する方向（撮影光軸ＯＡに対する径方向）での支持点を変位可能として偏芯調整を可能とする偏芯調整部材として機能する。
【００７０】
次に、上述の実施例に示したレンズ鏡胴１０を含む光学系装置を、撮影光学系として採用してカメラ（撮像装置）１００を構成した例について図１０ないし図１２を参照して説明する。図１０は、物体、すなわち被写体側である前面側から見たカメラ１００の外観を示す斜視図であり、図１１は、撮影者側である背面側から見たカメラ１００の外観を示す斜視図であり、図１２は、カメラ１００の機能構成を示すブロック図である。なお、ここでは、カメラ１００について説明しているが、いわゆるＰＤＡ（ｐｅｒｓｏｎａｌ  ｄａｔａ  ａｓｓｉｓｔａｎｔ）や携帯電話機等の携帯型情報端末装置にカメラ機能を組み込んだものが近年登場している。
【００７１】
このような携帯型情報端末装置も外観は若干異にするもののカメラ１００と実質的に全く同様の機能・構成を含んでいるものが多く、このような携帯型情報端末装置に本発明に係るレンズ鏡胴１０を含む光学系装置を採用してもよい。また、同様に、本発明に係るレンズ鏡胴１０を含む光学系装置を画像入力装置に採用してもよい。
【００７２】
図１０および図１１に示すように、カメラ１００は、撮影レンズ１０１、シャッタボタン１０２、ズームレバー１０３、ファインダ１０４、ストロボ１０５、液晶モニタ１０６、操作ボタン１０７、電源スイッチ１０８、メモリカードスロット１０９および通信カードスロット１１０等を備えている。さらに、図１２に示すように、カメラ１００は、受光素子２０１、信号処理装置２０２、画像処理装置２０３、中央演算装置（ＣＰＵ）２０４、半導体メモリ２０５および通信カード２０６等も備えている。また、明確には図示されていないが、これら各部は、駆動電源としてのバッテリにより給電されて動作する。
【００７３】
カメラ１００は、撮影レンズ１０１と、ＣＣＤ（電荷結合素子）撮像素子等のエリアセンサとしての受光素子２０１と、を有しており、撮影光学系である撮影レンズ１０１により形成される撮影対象となる物体、つまり被写体の像を受光素子２０１により読み取るように構成されている。この撮影レンズ１０１としては、本実施例において説明したような本発明に係るレンズ鏡胴１０を含む光学系装置を用いる。具体的には、レンズ鏡胴１０を構成する光学要素であるレンズ等を用いて光学系装置を構成する（例えば、固体撮像素子１７（図２参照）を用いて受光素子２０１を構成する）。レンズ鏡胴１０は、各レンズ等を、少なくともレンズ群毎に移動操作し得るように保持する機構を有する。カメラ１００に組み込まれる撮影レンズ１０１は、通常の場合、この光学系装置の形で組み込まれる。
【００７４】
ここで、図１０では、（ａ）に示す収納状態において光学系装置（レンズ鏡胴１０）が筐体内に収容（沈胴）される構成とされているが、収納状態であっても光学系装置の一部（例えば、レンズ鏡胴１０の固定筒３１（図１参照））が筐体から突出する構成であってもよい。また、このレンズ鏡胴１０は、固体撮像素子１７およびローパスフィルタ１８（図１参照）とともに筐体に対して着脱自在な構成とされていてもよく、固体撮像素子１７およびローパスフィルタ１８（図１参照）とは別に筐体に対して着脱自在な構成とされていてもよい。
【００７５】
受光素子２０１の出力は、中央演算装置２０４により制御される信号処理装置２０２によって処理され、デジタル画像情報に変換される。信号処理装置２０２によりデジタル化された画像情報は、やはり中央演算装置２０４によって制御される画像処理装置２０３において所定の画像処理が施された後、不揮発性メモリ等の半導体メモリ２０５に記録される。この場合、半導体メモリ２０５は、メモリカードスロット１０９に装填されたメモリカードでもよく、カメラ本体に内蔵された半導体メモリでもよい。液晶モニタ１０６には、撮影中の画像を表示することもできるし、半導体メモリ２０５に記録されている画像を表示することもできる。また、半導体メモリ２０５に記録した画像は、通信カードスロット１１０に装填した通信カード等２０６を介して外部へ送信することも可能である。
【００７６】
撮影レンズ１０１は、カメラ１００の携帯時には図１０（ａ）に示すように沈胴状態Ｄ（図２（ａ）参照）にあってカメラ１００のボディ内に埋没している。ユーザーが電源スイッチ１０８を操作すると、電源が投入され、図１０（ｂ）に示すように鏡胴が繰り出され、カメラ１００のボディから突出して撮影状態Ｐ（図２（ｂ）参照）となる構成とする。このとき、第１レンズ群１１から第５レンズ群１５が焦点距離可変のズームレンズを構成する場合、撮影レンズ１０１のレンズ鏡胴１０の内部では、ズームレンズを構成する各群の光学系が、例えば広角位置に配置されており、ズームレバー１０３を操作することによって、各群光学系の配置が変更されて、望遠端への変倍動作を行うことができる。なお、ファインダ１０４の光学系も撮影レンズ１０１の画角の変化に連動して変倍するようにすることが望ましい。
【００７７】
多くの場合、シャッタボタン１０２の半押し操作により、フォーカシングがなされる。シャッタボタン１０２をさらに押し込み全押し状態とすると撮影が行なわれ、その後に上述した通りの処理がなされる。
【００７８】
半導体メモリ２０５に記録した画像を液晶モニタ１０６に表示させたり、通信カード等２０６を介して外部へ送信させたりする際には、操作ボタン１０７を所定のごとく操作する。半導体メモリ２０５および通信カード等２０６は、メモリカードスロット１０９および通信カードスロット１１０等のような、それぞれ専用または汎用のスロットに装填して使用される。
【００７９】
この本実施例のレンズ鏡胴１０では、第５レンズ用支持枠２６に対する第５レンズ保持枠２５の偏芯調整および傾倒調整のためのレンズ調芯機構６０としての偏芯調整部材（２つの偏芯調整ネジ６２と、偏芯調整固定ネジ６３および圧縮スプリング６４と）および傾倒調整部材（３つの傾倒調整部材６１）が、第５レンズ用支持枠２６の各調芯用貫通孔２６ｂに互いに回転可能に同軸（孔軸線ＢＡ）上に組み込まれていることから、偏芯調整部材および傾倒調整部材のための配置スペースを半減しつつ偏芯調整と傾倒調整とを互いに独立して行うことができる。換言すると、偏芯調整のための部材（構成）と、傾倒調整のための部材（構成）と、を効率よく配置することができる。
【００８０】
また、レンズ鏡胴１０では、２つの偏芯調整ネジ６２の内方孔部分６２ａおよび偏芯調整固定ネジ６３の内方孔部分６３ｃが、傾倒調整部材６１の本体柱部６１ａの回転自在な嵌合が可能とされていることから、各調芯用貫通孔２６ｂにおいて、偏芯調整および傾倒調整を可能としつつ偏芯調整部材と傾倒調整部材とを同軸（孔軸線ＢＡ）上に組み込むことができる。このため、より小さく簡易な構成とすることができる。
【００８１】
さらに、レンズ鏡胴１０では、傾倒調整部材としての３つの傾倒調整部材６１が、各調芯用貫通孔２６ｂ内での回転姿勢の変化により、撮影光軸ＯＡ方向での第５レンズ保持枠２５への支持点となる偏芯軸部６１ｂ（その外周面）の位置を変化させる構成であることから、各傾倒調整部材６１を回転操作することにより、第５レンズ保持枠２５すなわち第５レンズ群１５の傾斜を調整することができるので、簡易な構成で第５レンズ群１５を傾倒調整することができる。
【００８２】
レンズ鏡胴１０では、傾倒調整部材としての３つの傾倒調整部材６１が、各調芯用貫通孔２６ｂの孔軸線ＢＡ回りに回動自在に保持される本体柱部６１ａから偏芯軸部６１ｂを偏芯させた構成とされていることから、より小さく簡易な構成としつつ、傾倒調整部材６１の回転操作量に対する第５レンズ群１５の撮影光軸ＯＡ方向での変化量を微小なものとしつつ漸次的な変化を可能とすることができるので、より高精度に第５レンズ群１５の傾斜を調整することができる。
【００８３】
レンズ鏡胴１０では、第５レンズ保持枠２５が、波ワッシャ６５により第５レンズ用支持枠２６内において撮影光軸ＯＡ方向で見て各調芯用貫通孔２６ｂ側（先端側（被写体側））へと常時付勢されていることから、第５レンズ用支持枠２６に対する撮影光軸ＯＡ方向での第５レンズ保持枠２５すなわち第５レンズ群１５の支持位置を、より適切に調整することができる。
【００８４】
レンズ鏡胴１０では、偏芯調整部材としての偏芯調整ネジ６２が、各調芯用貫通孔２６ｂ内での回転姿勢の変化により、撮影光軸ＯＡに直交する方向（撮影光軸ＯＡに対する径方向）での第５レンズ保持枠２５（周縁壁部２５ｂの当接突起部２８）への支持点となる底面６２ｂの位置を変化させる構成であることから、各偏芯調整ネジ６２を回転操作することにより、第５レンズ保持枠２５すなわち第５レンズ群１５の偏芯位置を調整することができるので、簡易な構成で第５レンズ群１５を偏芯調整することができる。
【００８５】
レンズ鏡胴１０では、偏芯調整部材として、偏芯調整固定ネジ６３および圧縮スプリング６４が用いられていることから、２つの偏芯調整ネジ６２による第５レンズ保持枠２５（周縁壁部２５ｂの当接突起部２８）への支持点を撮影光軸ＯＡに直交する方向（撮影光軸ＯＡに対する径方向）に変化させるだけで、第５レンズ保持枠２５すなわち第５レンズ群１５の偏芯位置を調整することができ、偏芯調整のための作業をより簡易なものとすることができる。
【００８６】
レンズ鏡胴１０では、偏芯調整部材としての偏芯調整ネジ６２が、その外周壁面のネジ溝を、各調芯用貫通孔２６ｂの内周壁面のネジ溝に螺合させる構成とされていることから、より小さく簡易な構成としつつ、偏芯調整ネジ６２の回転操作量に対する第５レンズ群１５の撮影光軸ＯＡに直交する方向での変化量を微小なものとしつつ漸次的な変化を可能とすることができるので、より高精度に第５レンズ群１５の偏芯位置を調整することができる。
【００８７】
レンズ鏡胴１０では、第５レンズ保持枠２５が、第５レンズ用支持枠２６内において撮影光軸ＯＡに直交する方向で見て２つの偏芯調整ネジ６２による支持点へと圧縮スプリング６４により常時付勢されていることから、第５レンズ用支持枠２６に対する撮影光軸ＯＡに直交する方向での第５レンズ保持枠２５すなわち第５レンズ群１５の支持位置を、より適切に調整することができる。
【００８８】
レンズ鏡胴１０では、第５レンズ保持枠２５（第５レンズ群１５）を高精度に調整可能に保持した第５レンズ用支持枠２６をレンズ鏡胴１０として組み付けることができるので、より高い撮像性能を得ることができる。すなわち、レンズ鏡胴１０では、第５レンズ保持枠２５およびレンズ調芯機構６０により高精度に調芯した第５レンズ群１５を保持する第５レンズ用支持枠２６を、そのまま撮像光学系として組み込むことができるので、より高い撮像性能を得ることができる。
【００８９】
レンズ鏡胴１０では、第５レンズ用支持枠２６において、第５レンズ群１５を保持する第５レンズ保持枠２５がレンズ調芯機構６０により調整可能に保持されている構成であることから、レンズ調芯機構６０により第５レンズ用支持枠２６内での第５レンズ保持枠２５の位置および姿勢を調整することができるので、簡易な構成で第５レンズ群１５を調芯することができる。
【００９０】
レンズ鏡胴１０では、第５レンズ用支持枠２６内において偏芯調整部材および傾倒調整部材により支持された状態を維持したまま、第５レンズ保持枠２５すなわち第５レンズ群１５の偏芯調整および傾倒調整（調芯）を行うことができることから、調芯作業が完了した後にその調芯状態を維持すべく接着剤等で固定する必要がないので、第５レンズ群１５を高精度に調芯した撮影光学系を得ることができる。換言すると、レンズ鏡胴１０では、第５レンズ用支持枠２６内において、第５レンズ保持枠２５（第５レンズ群１５）の保持状態を調節することができるので、高精度に調芯された撮影光学系を得ることができる。
【００９１】
レンズ鏡胴１０では、各調芯用貫通孔２６ｂ内において、内方孔部分６２ａで受け入れた傾倒調整部材６１の先端（スリット溝６１ｄの先端位置）よりも、両偏芯調整ネジ６２の先端のスリット溝６２ｃの底部が上側（撮影光軸ＯＡに対する径方向の外側）に位置するものとされていることから、傾倒調整部材６１に干渉することなく偏芯調整ネジ６２を回転操作することができる。
【００９２】
レンズ鏡胴１０では、各調芯用貫通孔２６ｂ内において、内方孔部分６３ｃで受け入れた傾倒調整部材６１の先端（スリット溝６１ｄの先端位置）よりも、偏芯調整固定ネジ６３の先端のスリット溝６３ｄの底部が上側（撮影光軸ＯＡに対する径方向の外側）に位置するものとされていることから、傾倒調整部材６１に干渉することなく偏芯調整固定ネジ６３を回転操作することができる。
【００９３】
レンズ鏡胴１０では、３つの傾倒調整部材６１が、２つの偏芯調整ネジ６２の内方孔部分６２ａおよび偏芯調整固定ネジ６３の内方孔部分６３ｃに回転自在に嵌合されているとともに、先端にスリット溝６１ｄが設けられていることから、偏芯調整ネジ６２および偏芯調整固定ネジ６３に干渉することなく傾倒調整部材６１を回転操作することができる。
【００９４】
レンズ鏡胴１０では、３つの傾倒調整部材６１と、２つの偏芯調整ネジ６２と、偏芯調整固定ネジ６３と、が互いに干渉することなく回転操作することが可能とされていることから、より小さく簡易な構成で互いに独立して調芯作業を行うことができ、偏芯調整と傾倒調整とを互いに独立して行うことができる。
【００９５】
したがって、本発明に係るレンズ鏡胴１０では、偏芯調整と傾倒調整とを行うことを可能としつつ配置スペースの低減を図ることができる。
【００９６】
なお、上記した実施例では、本発明に係るレンズ鏡胴の一例としてのレンズ鏡胴１０について説明したが、少なくとも１枚以上のレンズからなるレンズ群を保持するレンズ保持枠と、該レンズ保持枠を内側で支持する支持枠と、を備えるレンズ鏡胴であって、前記支持枠には、前記レンズ群のレンズ光軸を取り巻きつつ該レンズ光軸へ向けて延在するように、少なくとも３つの調芯用貫通孔が設けられ、該各調芯用貫通孔には、前記支持枠に対する前記レンズ保持枠の前記レンズ光軸に直交する方向での支持点を変位可能とする偏芯調整部材と、前記支持枠に対する前記レンズ保持枠の前記レンズ光軸方向での支持点を変位可能とする傾倒調整部材と、が同軸上で組み込まれているレンズ鏡胴であればよく、上記した実施例に限定されるものではない。
【００９７】
また、実施例では、組み込む前段階で、第５レンズ用支持枠２６における第５レンズ保持枠２５すなわち第５レンズ群１５の調芯作業を行うものとしていたが、仮に組み付けたレンズ調芯機構６０を介して第５レンズ保持枠２５を支持する第５レンズ用支持枠２６を、レンズ鏡胴１０を構成すべく第１レンズ群１１から第４レンズ群１４とともに組み付けてから、第５レンズ群１５の調芯作業を行うものであってもよい。この場合、撮影光軸ＯＡ上で所定の距離に被写体（図示せず）を配置して、第１レンズ群１１から第５レンズ群１５からなる撮像光学系で結像させ、その被写体像の状態を観察しつつ３つの傾倒調整部材６１および２つの偏芯調整ネジ６２を適宜回転操作する。被写体像が適切な状態となった位置が、第１レンズ群１１から第４レンズ群１４に対する第５レンズ群１５の適切な位置となる。これにより、第１レンズ群１１から第４レンズ群１４に対する第５レンズ群１５の調芯作業が完了する。
【００９８】
さらに、上記した実施例では、第５レンズ群１５を調芯可能とする構成とされていたが、他のレンズ群（例えば、第４レンズ群１４）であってもよく、上記した実施例に限定されるものではない。
【００９９】
上記した実施例では、高精度に調芯した第５レンズ群１５に加えて、第１レンズ群１１から第４レンズ群１４を用いて撮像光学系を構成するものとされていたが、レンズ調芯機構を介してレンズ保持枠が調芯可能に支持枠に支持されて構成されるレンズ群を含むものであれば、他のレンズ群を有するものであってもよく、上記した実施例に限定されるものではない。
【０１００】
上記した実施例では、傾倒調整部材６１にはスリット溝６１ｄが、偏芯調整ネジ６２にはスリット溝６２ｃが、偏芯調整固定ネジ６３にはスリット溝６３ｄが、設けられていたが、それらは回転操作のための治具（工具）の係合を可能とするものであればよく、上記した実施例に限定されるものではない。
【０１０１】
上記した実施例では、第５レンズ用支持枠２６には、偏芯調整部材および傾倒調整部材を組み込むために３つの調芯用貫通孔２６ｂが設けられていたが、偏芯調整部材と傾倒調整部材とを同軸上で組み込むことを可能とするものであって少なくとも３つ以上設けられていればよく、上記した実施例に限定されるものではない。
【０１０２】
以上、本発明の撮影装置を実施例に基づき説明してきたが、具体的な構成については実施例に限られるものではなく、本発明の要旨を逸脱しない限り、設計の変更や追加等は許容される。
【符号の説明】
【０１０３】
１０  レンズ鏡胴
１１  （第２のレンズ群としての）第１レンズ群
１２  （第２のレンズ群としての）第２レンズ群
１３  （第２のレンズ群としての）第３レンズ群
１４  （第２のレンズ群としての）第４レンズ群
１５  （レンズ群（第１のレンズ群）としての）第５レンズ群
２１  （レンズ鏡筒としての）直進筒
２２  （第２のレンズ保持枠としての）第２レンズ保持枠
２３  （第２のレンズ保持枠としての）第３レンズ保持枠
２４  （第２のレンズ保持枠としての）第４レンズ保持枠
２５  （レンズ保持枠（第１のレンズ保持枠）としての）第５レンズ保持枠
２６  （支持枠としての）第５レンズ用支持枠
２６ｂ  調芯用貫通孔
３１  （レンズ鏡筒としての）固定筒
３２  （レンズ鏡筒としての）第１の回転筒
３３  （レンズ鏡筒としての）第２の回転筒
３４  （レンズ鏡筒としての）直進ライナー
６１  傾倒調整部材
６１ｂ  偏芯軸部
６２  （偏芯調整部材としての）偏芯調整ネジ
６２ａ  （中空箇所としての）内方孔部分
６３  （偏芯調整部材としての）偏芯調整固定ネジ
６３ｃ  （中空箇所としての）内方孔部分
６４  （偏芯調整部材としての）圧縮スプリング
６５  （光軸方向付勢部材としての）波ワッシャ
１００  カメラ
ＯＡ  撮影光軸
ＢＡ  孔軸線
【先行技術文献】
【特許文献】
【０１０４】
【特許文献１】特開２００７−２１９４０５号公報
【図１】
2012141519.tif 000003
【図２】
2012141519.tif 000004
【図３】
2012141519.tif 000005
【図４】
2012141519.tif 000006
【図５】
2012141519.tif 000007
【図６】
2012141519.tif 000008
【図７】
2012141519.tif 000009
【図８】
2012141519.tif 000010
【図９】
2012141519.tif 000011
【図１０】
2012141519.tif 000012
【図１１】
2012141519.tif 000013
【図１２】
2012141519.tif 000014